(57)【要約】【課題】例えば、より不都合が少なく改善された新規なインジケータ、通信ケーブルアセンブリ、およびホルダを得る。【解決手段】実施形態のインジケータは、例えば、光導入部と、発光部と、導光部と、を有する。発光部は、光導入部から離れて位置される。導光部は、光導入部から少なくとも発光部まで延び、光導入部で入射した光を発光部へ導くとともに、可撓性を有する。インジケータは、通信ケーブルの通信状態を示す表示ランプに光導入部が面し、通信ケーブルに沿って導光部が延び、かつ通信ケーブルの通信状態を表示ランプから通信ケーブルに沿って離れた位置で発光部が発光可能となる状態に、設置可能に構成される。【選択図】図１
2018132733.tif 000002
【特許請求の範囲】
【請求項１】
光導入部と、
前記光導入部から離れて位置された発光部と、
前記光導入部から少なくとも前記発光部まで延び、前記光導入部で入射した光を前記発光部へ導く可撓性の導光部と、
を有し、
通信ケーブルの通信状態を示す表示ランプに前記光導入部が面し、前記通信ケーブルに沿って前記導光部が延び、かつ前記通信ケーブルの通信状態を前記表示ランプから前記通信ケーブルに沿って離れた位置で前記発光部が発光可能となる状態に、設置可能に構成された、インジケータ。
【請求項２】
前記導光部および前記発光部のうち少なくとも一方を前記通信ケーブルのケーブル部の外周面に取り付ける第一の取付部、を有した、請求項１に記載のインジケータ。
【請求項３】
前記第一の取付部は、前記ケーブル部に着脱可能に保持されうる、請求項２に記載のインジケータ。
【請求項４】
前記導光部および前記光導入部のうち少なくとも一方を前記通信ケーブルのコネクタ部に取り付ける第二の取付部、を有した、請求項１〜３のうちいずれか一つに記載のインジケータ。
【請求項５】
前記第二の取付部は、前記コネクタ部に着脱可能に保持されうる、請求項４に記載のインジケータ。
【請求項６】
前記光導入部として、第一の光導入部と第二の光導入部とを有し、
前記発光部として、第一の発光部と第二の発光部とを有し、
前記導光部として、前記第一の光導入部で入射した光を前記第一の発光部へ導く第一の導光部と、前記第二の光導入部で入射した光を前記第二の発光部へ導く第二の導光部と、を有し、
前記第一の取付部は、前記第一の導光部および前記第一の発光部のうち少なくとも一方と前記第二の導光部および前記第二の発光部のうち少なくとも一方とを、前記外周面に取り付ける、請求項２または３に記載のインジケータ。
【請求項７】
前記光導入部として、第一の光導入部と第二の光導入部とを有し、
前記発光部として、第一の発光部と第二の発光部とを有し、
前記導光部として、前記第一の光導入部で入射した光を前記第一の発光部へ導く第一の導光部と、前記第二の光導入部で入射した光を前記第二の発光部へ導く第二の導光部と、を有し、
前記第二の取付部は、前記第一の導光部および前記第一の光導入部のうち少なくとも一方と前記第二の導光部および前記第二の光導入部のうち少なくとも一方とを、前記コネクタ部に取り付ける、請求項４または５に記載のインジケータ。
【請求項８】
前記導光部は、光透過性のエラストマを有した、請求項１〜７のうちいずれか一つに記載のインジケータ。
【請求項９】
前記導光部は、前記光導入部で入射した光を前記発光部へ向けて反射する光反射部を有し、
前記発光部は、前記光反射部からの光を透過する光透過部を有した、請求項１〜８のうちいずれか一つに記載のインジケータ。
【請求項１０】
請求項１〜９のうちいずれか一つに記載のインジケータと、前記通信ケーブルとが一体化された、通信ケーブルアセンブリ。
【請求項１１】
前記通信ケーブルのコネクタ部に保持され、請求項１〜９のうちいずれか一つに記載のインジケータの前記導光部および前記光導入部のうち少なくとも一方を、前記通信ケーブルのコネクタ部に取り付けうる、ホルダ。
【発明の詳細な説明】
【技術分野】
【０００１】
本発明の実施形態は、インジケータ、通信ケーブルアセンブリ、およびホルダに関する。
【背景技術】
【０００２】
従来、コネクタ部と、コネクタ部に内蔵され通信ケーブルの通信状態を表示可能な表示部と、を備えた通信ケーブルが、知られている。
【先行技術文献】
【特許文献】
【０００３】
【特許文献１】特開２０１３−１５７１９４号公報
【発明の概要】
【発明が解決しようとする課題】
【０００４】
この技術分野では、例えば、より不都合が少なく改善された新規なインジケータが得られれば、有益である。
【課題を解決するための手段】
【０００５】
実施形態のインジケータは、例えば、光導入部と、発光部と、導光部と、を有する。発光部は、光導入部から離れて位置される。導光部は、光導入部から少なくとも発光部まで延び、光導入部で入射した光を発光部へ導くとともに、可撓性を有する。インジケータは、通信ケーブルの通信状態を示す表示ランプに光導入部が面し、通信ケーブルに沿って導光部が延び、かつ通信ケーブルの通信状態を表示ランプから通信ケーブルに沿って離れた位置で発光部が発光可能となる状態に、設置可能に構成される。
【図面の簡単な説明】
【０００６】
【図１】図１は、第１実施形態のインジケータを含む通信ケーブルアセンブリの例示的かつ模式的な斜視図である。
【図２】図２は、第１実施形態のホルダの例示的かつ模式的な斜視図である。
【図３】図３は、第１実施形態のインジケータの一部の例示的かつ模式的な断面図である。
【図４】図４は、第２実施形態のインジケータの例示的かつ模式的な斜視図である。
【図５】図５は、第２実施形態のインジケータの一部の例示的かつ模式的な断面図である。
【図６】図６は、第３実施形態のインジケータの例示的かつ模式的な斜視図である。
【図７】図７は、第４実施形態のインジケータを含む通信ケーブルアセンブリの例示的かつ模式的な斜視図である。
【図８】図８は、第５実施形態のインジケータを含む通信ケーブルアセンブリの例示的かつ模式的な斜視図である。
【図９】図９は、第６実施形態のインジケータを含む通信ケーブルアセンブリの例示的かつ模式的な斜視図である。
【図１０】図１０は、第６実施形態のインジケータの第１変形例の例示的かつ模式的な斜視図である。
【図１１】図１１は、第７実施形態のインジケータを含む通信ケーブルアセンブリの例示的かつ模式的な斜視図である。
【図１２】図１２は、第８実施形態のインジケータを含む通信ケーブルアセンブリの例示的かつ模式的な斜視図である。
【図１３】図１３は、第８実施形態の通信ケーブルアセンブリの第１変形例の例示的かつ模式的な斜視図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、本明細書において、序数は、部品や部位等を区別するために用いられており、順番や優先度を示すものではない。
【０００９】
＜第１実施形態＞
図１は、通信ケーブルアセンブリ７の斜視図である。図１に示されるように、通信ケーブルアセンブリ７は、例えば、ＬＡＮケーブル２と、インジケータ１と、ホルダ５と、を備えている。インジケータ１およびホルダ５は、ＬＡＮケーブル２に着脱可能に構成されている。ＬＡＮケーブル２は、通信ケーブルの一例である。
【００１０】
ＬＡＮケーブル２は、ケーブル部２１と、コネクタ部２２と、を有する。コネクタ部２２は、電子機器３のＬＡＮポート４（コネクタ）と接続可能である。電子機器３は、例えば、ルーターや、ハブ、モデム、パーソナルコンピュータ等である。電子機器３は、ネットワーク中継機器等とも称されうる。なお、本実施形態では、電子機器３に一つのＬＡＮポート４が設けられている場合が例示されるが、ＬＡＮポート４の数は、一つには限定されず、二つ以上であってもよい。
【００１１】
ＬＡＮポート４の近くには、複数のＬＥＤ４ａが設けられている。二つのＬＥＤ４ａのうち一方はスピードＬＥＤであり、他方はアクティブリンクＬＥＤである。スピードＬＥＤは、例えば、ネットワークに正常に接続され、使用可能な状態になると点灯する。また、アクティブリンクＬＥＤは、例えば、データを送受信している状態になると点滅する。ＬＥＤ４ａは、表示ランプの一例である。なお、図１では、ＬＥＤ４ａがＬＡＮポート４の上方に設けられているが、これには限定されず、例えば、ＬＡＮポート４の下方に設けられていてもよい。
【００１２】
本実施形態のインジケータ１は、例えば、ＬＥＤ４ａに対応したＬＡＮケーブル２の通信状態を、ＬＥＤ４ａから離れた位置（例えば、図１の発光部１２Ｌ，１２Ｒ等）に表示可能に構成されている。従来構成において、例えば、ＬＡＮポート４およびＬＥＤ４ａが電子機器３の背面に設けられたような場合にあっては、ＬＥＤ４ａが見え難くなり、ＬＡＮケーブル２の通信状態が把握され難くなる虞があった。その点、本実施形態のインジケータ１によれば、ＬＡＮケーブル２の通信状態がＬＥＤ４ａとは離れた位置に設けられた発光部１２Ｌ，１２Ｒに表示されるため、ＬＡＮケーブル２の通信状態が把握されやすくなる。
【００１３】
また、本実施形態のインジケータ１は、ＬＡＮケーブル２に後付可能な構成を備えている。よって、インジケータ１は、ＬＥＤ４ａが見え難い従来構成に比較的容易に適用され、インジケータ１による上述した効果が比較的容易に得られる。また、本実施形態のインジケータ１は、ＬＡＮケーブル２に着脱可能な構成を備えている。よって、インジケータ１は、例えば、複数のＬＡＮケーブル２にそれぞれ装着し、各ＬＡＮケーブル２についての通信状態の把握に利用することができる。
【００１４】
以下、上述したような効果が得られるインジケータ１およびホルダ５についてより詳しく説明する。図２は、ホルダ５の斜視図であり、図３は、インジケータ１の一部の断面図である。
【００１５】
図１，３に示されるように、インジケータ１は、例えば、複数の導光部１０Ｌ，１０Ｒと、光導入部１１Ｌ，１１Ｒと、発光部１２Ｌ，１２Ｒと、取付部１３と、を有している。
【００１６】
二つの導光部１０Ｌ，１０Ｒは、それぞれ、可撓性（柔軟性、屈曲性）を有しており、屈曲したＬＡＮケーブル２に沿って屈曲した姿勢で配置されている。導光部１０Ｌ，１０Ｒは、例えば、透明のエラストマ等によって構成される。導光部１０Ｌ，１０Ｒは、並列に互いに離間するとともに、ＬＡＮケーブル２とは隙間をあけた状態で配置されている。なお、ＬＥＤ４ａや導光部１０Ｌ，１０Ｒの数は、二つには限定されず、一つや、三つ以上であってもよい。導光部１０Ｌは、第一の導光部の一例であり、導光部１０Ｒは、第二の導光部の一例である。
【００１７】
光導入部１１Ｌ，１１Ｒは、導光部１０Ｌ，１０Ｒのそれぞれの一端部に設けられている。光導入部１１Ｌ，１１Ｒは、ＬＥＤ４ａのそれぞれと面した状態に配置される。ＬＥＤ４ａから出射した光は、当該ＬＥＤ４ａのそれぞれと面した光導入部１１Ｌ，１１Ｒを介して、導光部１０Ｌ，１０Ｒ内に入射する。光導入部１１Ｌ，１１Ｒは、入射開口等とも称されうる。光導入部１１Ｌは、第一の光導入部の一例であり、光導入部１１Ｒは、第二の光導入部の一例である。
【００１８】
光導入部１１Ｌ，１１Ｒから導光部１０Ｌ，１０Ｒ内に入射した光Ｌ（図３参照）は、当該導光部１０Ｌ，１０Ｒの外周面１０ａ（の内側）で繰り返し反射（全反射）しながら、導光部１０Ｌ，１０Ｒ内で、導光部１０Ｌ，１０Ｒの他端部に向けて伝播する。外周面１０ａは、光反射部の一例である。
【００１９】
発光部１２Ｌ，１２Ｒは、導光部１０Ｌ，１０Ｒのそれぞれに設けられている。本実施形態では、導光部１０Ｌ，１０Ｒのそれぞれにおいて、複数の発光部１２Ｌ，１２Ｒ（図１参照）が、導光部１０Ｌ，１０Ｒの長手方向に互いに間隔をあけて設けられている。発光部１２Ｌは、第一の発光部の一例であり、発光部１２Ｒは、第二の発光部の一例である。
【００２０】
発光部１２Ｌ，１２Ｒは、導光部１０Ｌ，１０Ｒから径方向の外側に円環状に突出したフランジ部１２ａを有している。フランジ部１２ａは、導光部１０Ｌ，１０Ｒと一体である。図３に示されるように、フランジ部１２ａは、外周面１２ｃと、端面１２ｂと、を有する。このような構成により、フランジ部１２ａにおいて、光Ｌが全反射する反射面としての導光部１０Ｌ，１０Ｒの外周面１０ａが部分的に欠落した構成が得られる。よって、例えば、導光部１０Ｌ，１０Ｒを伝播しフランジ部１２ａの端面１２ｂに到達した光Ｌは、端面１２ｂでは光Ｌの入射角（垂直方向に対する角度）が小さくなり全反射条件が満たされないため、屈折しながら端面１２ｂの外へ出射される。これにより、フランジ部１２ａが、発光部１２Ｌ，１２Ｒとして機能する。フランジ部１２ａのうち少なくとも端面１２ｂは、光透過部の一例である。なお、フランジ部１２ａの外周面１２ｃに到達した光Ｌも、上述した全反射条件が満たされなければ、外周面１２ｃの外へ出射されうる。
【００２１】
このように、導光部１０Ｌ，１０Ｒは、それぞれ、光導入部１１Ｌ，１１Ｒから入射した光を、発光部１２Ｌ，１２Ｒへと導くことができる。発光部１２Ｌ，１２Ｒは、フランジ部１２ａによって、導光部１０Ｌ，１０Ｒの周方向に沿って発光可能である。なお、導光部１０Ｌ，１０Ｒは、フランジ部１２ａを除き、保護被覆１４によって覆われてもよい。これにより、例えば、透明な外周面１０ａ（の反射光）が隠れるため、フランジ部１２ａ（発光部１２Ｌ，１２Ｒ）以外の場所での発光が抑制されうる。
【００２２】
取付部１３（図１参照）は、導光部１０Ｌ，１０Ｒのそれぞれの他端部、すなわち光導入部１１Ｌ，１１Ｒとは反対側の端部に設けられている。取付部１３は、導光部１０Ｌ，１０Ｒの双方と接続され、導光部１０Ｌ，１０Ｒを一体化している。取付部１３は、ケーブル部２１の外周面２１ａを取り囲むリング状に構成されている。取付部１３は、外周面２１ａの取付部１３のリング内での相対移動が許容される状態で緩く外周面２１ａに保持される。取付部１３は、第一の取付部の一例である。
【００２３】
また、取付部１３には、スリット１３ａが設けられている。スリット１３ａは、リング状の取付部１３を周方向に分離している。すなわち、取付部１３は、Ｃリング状である。ケーブル部２１は、取付部１３が例えば捩られることによって弾性的に広がったスリット１３ａから取付部１３内に挿入される。スリット１３ａの隙間は、ケーブル部２１の最小幅（最小外径）よりも小さく設定されている。よって、取付部１３は、一旦ケーブル部２１に装着されると、外れ難くなる。また、取付部１３の直径は、コネクタ部２２の最大幅よりも小さく設定されている。よって、取付部１３が一旦ケーブル部２１に装着されると、インジケータ１がコネクタ部２２側から抜け難くなる。
【００２４】
図２に示されるように、ホルダ５は、例えば、第一の部分５１と、複数の第二の部分５２と、を有する。第一の部分５１は、コネクタ部２２の外面２２ａ（図１参照）に沿った矩形の枠状に構成されている。第一の部分５１は、例えば、弾性的な圧入等によってコネクタ部２２と一体化され、当該コネクタ部２２の外面２２ａに保持される。
【００２５】
複数の第二の部分５２は、それぞれ、導光部１０Ｌ，１０Ｒの外面に沿った円筒状に構成されている。第二の部分５２は、第一の部分５１からコネクタ部２２とは反対側に突出している。導光部１０Ｌ，１０Ｒは、例えば、第二の部分５２の内周面５２ａへの弾性的な圧入等によって第二の部分５２と一体化され、当該第二の部分５２に保持される。
【００２６】
また、図１に示されるように、第二の部分５２は、ホルダ５がコネクタ部２２に取り付けられた状態で、ＬＥＤ４ａとコネクタ部２２の長手方向（挿入方向）に並ぶ位置に設けられている。すなわち、第二の部分５２は、導光部１０Ｌ，１０Ｒが内周面５２ａに挿入された状態で光導入部１１Ｌ，１１ＲとＬＥＤ４ａとが互いに面するよう、設けられている。これにより、インジケータ１は、ＬＥＤ４ａの光を光導入部１１Ｌ，１１Ｒから導入し、導光部１０Ｌ，１０Ｒにより導光し、発光部１２Ｌ，１２Ｒにて発光することができる。
【００２７】
以上のように、本実施形態では、例えば、インジケータ１は、光導入部１１Ｌ（１１Ｒ）と、光導入部１１Ｌ（１１Ｒ）から離れて位置された発光部１２Ｌ（１２Ｒ）と、光導入部１１Ｌ（１１Ｒ）から少なくとも発光部１２Ｌ（１２Ｒ）まで延び、光導入部１１Ｌ（１１Ｒ）で入射した光Ｌを発光部１２Ｌ（１２Ｒ）へ導く可撓性の導光部１０Ｌ（１０Ｒ）と、を有し、ＬＡＮケーブル２の通信状態を示すＬＥＤ４ａに光導入部１１Ｌ（１１Ｒ）が面し、ＬＡＮケーブル２に沿って導光部１０Ｌ（１０Ｒ）が延び、かつＬＡＮケーブル２の通信状態をＬＥＤ４ａからＬＡＮケーブル２に沿って離れた位置で発光部１２Ｌ（１２Ｒ）が発光可能となる状態に、設置可能に構成されている。よって、本実施形態によれば、例えば、インジケータ１によって、ＬＡＮケーブル２の通信状態がＬＥＤ４ａとは離れた位置に設けられた発光部１２Ｌ（１２Ｒ）に表示される。よって、例えば、ＬＡＮケーブル２の通信状態が把握しやすいインジケータ１が得られる。
【００２８】
また、本実施形態によれば、導光部１０Ｌ（１０Ｒ）によって、例えば、発光部１２Ｌ（１２Ｒ）をＬＥＤ４ａからより遠くに離れた位置に設けることができる。よって、例えば、ＬＥＤ４ａがＬＡＮケーブル２や電子機器３の背面に隠れてしまう構造であるような場合に、作業者は、発光部１２Ｌ（１２Ｒ）によって、ＬＡＮケーブル２の通信状態の確認作業を、より容易に、より円滑に、あるいはより迅速に行うことができる。また、導光部１０Ｌ（１０Ｒ）がＬＡＮケーブル２に沿って延びているため、例えば、ＬＡＮケーブル２をＬＡＮポート４から引き抜く場合に、作業者は発光していないインジケータ１を辿ってＬＡＮケーブル２を引き抜くことができるため、他のＬＡＮケーブル２を誤って引き抜いてしまう等の不都合を抑制できるという利点もある。
【００２９】
また、本実施形態では、例えば、導光部１０Ｌ（１０Ｒ）および発光部１２Ｌ（１２Ｒ）のうち少なくとも一方をＬＡＮケーブル２のケーブル部２１の外周面２１ａに取り付ける取付部１３を有する。よって、本実施形態によれば、例えば、取付部１３によって、ＬＡＮケーブル２のケーブル部２１を導光部１０Ｌ（１０Ｒ）および発光部１２Ｌ（１２Ｒ）の保持に利用することができる。よって、例えば、発光部１２Ｌ（１２Ｒ）がＬＥＤ４ａから離れて位置するインジケータ１の設置状態が、比較的簡単に得られる。
【００３０】
また、本実施形態では、例えば、取付部１３は、ケーブル部２１に着脱可能に保持されうる。よって、本実施形態によれば、例えば、取付部１３によって、インジケータ１を複数のＬＡＮケーブル２の通信状態の把握に利用することができる。また、既存のＬＡＮケーブル２に後付により取付可能なインジケータ１を得ることができる。
【００３１】
また、本実施形態では、例えば、取付部１３は、導光部１０Ｌおよび発光部１２Ｌのうち少なくとも一方と導光部１０Ｒおよび発光部１２Ｒのうち少なくとも一方とを、ケーブル部２１の外周面２１ａに取り付ける。よって、本実施形態によれば、例えば、取付部１３によって、インジケータ１の設置状態が、より一層簡単に得られやすい。
【００３２】
また、本実施形態では、例えば、導光部１０Ｌ（１０Ｒ）は、光透過性のエラストマを有している。よって、本実施形態によれば、例えば、弾性部材としてのエラストマによって、導光部１０Ｌ（１０Ｒ）がＬＡＮケーブル２に沿った状態に配置されやすい。
【００３３】
また、本実施形態では、例えば、導光部１０Ｌ（１０Ｒ）は、光導入部１１Ｌ（１１Ｒ）で入射した光Ｌを発光部１２Ｌ（１２Ｒ）へ向けて反射する外周面１０ａを有し、発光部１２Ｌ（１２Ｒ）は、外周面１０ａからの光Ｌを透過する端面１２ｂを有する。よって、本実施形態によれば、例えば、外周面１０ａおよび端面１２ｂによって、インジケータ１の発光部１２Ｌ（１２Ｒ）が比較的簡素な構成で発光しやすい。
【００３４】
また、本実施形態では、例えば、ホルダ５は、ＬＡＮケーブル２のコネクタ部２２に保持され、インジケータ１の導光部１０Ｌ（１０Ｒ）および光導入部１１Ｌ（１１Ｒ）のうち少なくとも一方を、コネクタ部２２に取り付けうる。よって、本実施形態によれば、例えば、コネクタ部２２に保持されたホルダ５によって、光導入部１１Ｌ（１１Ｒ）がＬＥＤ４ａと面して位置するインジケータ１の設置状態が、比較的簡単に得られやすい。
【００３５】
＜第２実施形態＞
図４，５に示される実施形態のインジケータ１Ａは、上記第１実施形態のインジケータ１と同様の構成を備えている。よって、本実施形態によっても、上記第１実施形態と同様の構成に基づく同様の効果が得られる。
【００３６】
ただし、本実施形態では、例えば、図４に示されるように、発光部１２Ｌ１，１２Ｒ１が導光部１０Ｌ，１０Ｒの略全体に亘って設けられている点が、上記第１実施形態と相違している。発光部１２Ｌ１，１２Ｒ１および導光部１０Ｌ，１０Ｒは、例えば、透明のエラストマや、乳白色のエラストマ等によって構成され、光透過性を有している。また、発光部１２Ｌ１，１２Ｒ１および導光部１０Ｌ，１０Ｒは、保護被覆１４（図３参照）によって覆われていない。
【００３７】
また、図５に示されるように、本実施形態では、導光部１０Ｌ，１０Ｒの内部には部分的に光拡散部１５が設けられている。光拡散部１５は、例えば、アルミ等のラメ剤によって構成されている。このような構成により、導光部１０Ｌ，１０Ｒおよび光拡散部１５を伝播し導光部１０Ｌ，１０Ｒの外周面１０ａ１に到達した光Ｌは、外周面１０ａ１では光Ｌの入射角が小さくなり全反射条件が満たされないため、外周面１０ａ１の外へ出射される。これにより、外周面１０ａ１が、発光部１２Ｌ１，１２Ｒ１として機能する。外周面１０ａ１は、光透過部の一例である。また、光拡散部１５は、光反射部の一例である。よって、本実施形態によれば、例えば、発光部１２Ｌ１（１２Ｒ１）が導光部１０Ｌ（１０Ｒ）の略全体に亘って設けられているため、ＬＡＮケーブル２の通信状態がより一層把握しやすいインジケータ１Ａが得られやすい。また、光拡散部１５によって、発光部１２Ｌ１（１２Ｒ１）が略全体に亘って均一に発光しやすい。
【００３８】
＜第３実施形態＞
図６に示される実施形態のインジケータ１Ｂは、上記第２実施形態のインジケータ１Ａと同様の構成を備えている。よって、本実施形態によっても、上記第２実施形態と同様の構成に基づく同様の効果が得られる。
【００３９】
ただし、本実施形態では、例えば、図６に示されるように、ホルダ５Ａとインジケータ１Ｂとが一体化されている点が、上記第２実施形態と相違している。ホルダ５Ａは、例えば、接着剤や、両面テープ等によって、インジケータ１Ｂと固定されうる。よって、本実施形態によれば、インジケータ１Ｂをホルダ５Ａが一体化された状態で、ＬＡＮケーブル２に取り付けることができる。ホルダ５Ａは、インジケータ１Ｂの一部を構成しているとも言える。ホルダ５Ａは、第二の取付部の一例である。よって、本実施形態によれば、例えば、ホルダ５Ａによって、ＬＡＮケーブル２のコネクタ部２２を導光部１０Ｌ（１０Ｒ）および光導入部１１Ｌ（１１Ｒ）の保持に利用することができる。よって、例えば、光導入部１１Ｌ（１１Ｒ）がＬＥＤ４ａと面して位置するインジケータ１Ｂの設置状態が、比較的簡単に得られる。また、コネクタ部２２に着脱可能なホルダ５Ａによって、インジケータ１Ｂを複数のＬＡＮケーブル２の通信状態の把握に利用できたり、既存のＬＡＮケーブル２に後付により取付可能なインジケータ１Ｂが得られたりしうる。
【００４０】
＜第４実施形態＞
図７に示される実施形態のインジケータ１Ｃは、上記第３実施形態のインジケータ１Ｂと同様の構成を備えている。よって、本実施形態によっても、上記第３実施形態と同様の構成に基づく同様の効果が得られる。
【００４１】
ただし、本実施形態では、例えば、図７に示されるように、光導入部１１Ｌ１，１１Ｒ１の端面１１ａが導光部１０Ｌ，１０Ｒの直径よりも大きい点が、上記第３実施形態と相違している。端面１１ａは、例えば、ＬＥＤ４ａに沿った四角形状に構成されている。なお、端面１１ａの形状は、この例には限らず、例えば、円板状等であってもよい。よって、本実施形態によれば、例えば、光導入部１１Ｌ１（１１Ｒ１）とＬＥＤ４ａとが互いに面して配置されやすくなる。換言すると、第二の部分５２のＬＥＤ４ａに対する位置ずれ等が吸収されやすくなる。
【００４２】
＜第５実施形態＞
図８に示される実施形態のインジケータ１Ｄは、上記第３実施形態のインジケータ１Ｂと同様の構成を備えている。よって、本実施形態によっても、上記第３実施形態と同様の構成に基づく同様の効果が得られる。
【００４３】
ただし、本実施形態では、例えば、図８に示されるように、導光部１０Ｌ，１０Ｒがケーブル部２１の周りに螺旋状に巻かれて保持されている点が、上記第３実施形態と相違している。すなわち、インジケータ１Ｄは、導光部１０Ｌ，１０Ｒおよび発光部１２Ｌ１，１２Ｒ１をケーブル部２１の外周面２１ａに取り付ける取付部１３Ａを有している。取付部１３Ａは、保持部や、巻付部、螺旋部等とも称されうる。取付部１３Ａは、第一の取付部の一例である。よって、本実施形態によれば、例えば、取付部１３Ａによって、インジケータ１ＤがＬＡＮケーブル２から外れるのを抑制することができる。また、取付部１３Ａによって、インジケータ１Ｄが、より簡素に構成されやすい。
【００４４】
＜第６実施形態＞
図９に示される実施形態のインジケータ１Ｅは、上記第３実施形態のインジケータ１Ｂと同様の構成を備えている。よって、本実施形態によっても、上記第３実施形態と同様の構成に基づく同様の効果が得られる。
【００４５】
ただし、本実施形態では、例えば、図９に示されるように、導光部１０Ｌ，１０Ｒのそれぞれに取付部１３Ｂが設けられている点が、上記第３実施形態と相違している。二つの取付部１３Ｂは、ＬＡＮケーブル２の長手方向（軸方向）に互いにオフセットして取り付けられている。取付部１３Ｂは、第一の取付部の一例である。なお、図１０に示される第１変形例のインジケータ１Ｆのように、複数の取付部１３Ｃは、例えば、導光部１０Ｌ，１０Ｒのそれぞれと接続され、導光部１０Ｌ，１０Ｒを一体化してもよい。
【００４６】
＜第７実施形態＞
図１１に示される実施形態のインジケータ１Ｇは、上記第３実施形態のインジケータ１Ｂと同様の構成を備えている。よって、本実施形態によっても、上記第３実施形態と同様の構成に基づく同様の効果が得られる。
【００４７】
ただし、本実施形態では、例えば、図１１に示されるように、取付部１３Ｄの直径がコネクタ部２２の最大幅よりも大きい点が、上記第３実施形態と相違している。取付部１３Ｄは、第一の取付部の一例である。よって、本実施形態によれば、例えば、コネクタ部２２を取付部１３Ｄのリング内に通すことができるので、インジケータ１ＧのＬＡＮケーブル２への取り付け作業が、より容易に行われやすい。
【００４８】
＜第８実施形態＞
図１２に示される実施形態のインジケータ１Ｈは、上記第３実施形態のインジケータ１Ｂと同様の構成を備えている。よって、本実施形態によっても、上記第３実施形態と同様の構成に基づく同様の効果が得られる。
【００４９】
ただし、本実施形態では、例えば、図１２に示されるように、導光部１０Ｌ，１０Ｒがコネクタ部２２に接着部１６によって取り付けられている点が、上記第３実施形態と相違している。接着部１６は、例えば、接着剤や両面テープ等である。接着部１６は、第二の取付部の一例である。なお、図１３に示される第１変形例のように、インジケータ１Ｉは、例えば、さらに導光部１０Ｌ，１０Ｒがケーブル部２１に接着剤や両面テープ等によって取り付けられてもよいし、インジケータ１ＩとＬＡＮケーブル２とが一体成形されてもよい。
【００５０】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００５１】
１，１Ａ〜１Ｉ…インジケータ、２…ＬＡＮケーブル（通信ケーブル）、４ａ…ＬＥＤ（表示ランプ）、５…ホルダ、５Ａ…ホルダ（第二の取付部）、７…通信ケーブルアセンブリ、１０ａ…外周面（光反射部）、１０ａ１…外周面（光透過部）、１０Ｌ…導光部（第一の導光部）、１０Ｒ…導光部（第二の導光部）、１１Ｌ…光導入部（第一の光導入部）、１１Ｒ…光導入部（第二の光導入部）、１２Ｌ…発光部（第一の発光部）、１２Ｒ…発光部（第二の発光部）、１２ｂ…端面（光透過部）、１３，１３Ａ〜１３Ｄ…取付部（第一の取付部）、１６…接着部（第二の取付部）、２１…ケーブル部、２１ａ…外周面、２２…コネクタ部。
【図１】
2018132733.tif 000003
【図２】
2018132733.tif 000004
【図３】
2018132733.tif 000005
【図４】
2018132733.tif 000006
【図５】
2018132733.tif 000007
【図６】
2018132733.tif 000008
【図７】
2018132733.tif 000009
【図８】
2018132733.tif 000010
【図９】
2018132733.tif 000011
【図１０】
2018132733.tif 000012
【図１１】
2018132733.tif 000013
【図１２】
2018132733.tif 000014
【図１３】
2018132733.tif 000015